(57)【要約】【課題】曲がり部の面積が広くなることもなく、他回路との干渉やインピーダンス不整合等を抑制し、曲がり部による回路特性への悪影響を軽減することができる信号伝送線路及びその設計方法を提供する。【解決手段】信号伝送線路１の一部として所定角度だけ異なる方向に延びるように形成された第１直線部１ａ及び第２直線部１ｂ、に対して同等の角度をなしつつ第１直線部１ａ及び第２直線部１ｂの一端を連結するような直線状の曲がり部として形成された第３直線部１ｃの長さを使用波長の１／４の奇数倍とする。【選択図】図１
2004363535.tif 000002
【特許請求の範囲】
【請求項１】
直線状で所定幅及び所定厚の線路が所定角度だけ異なる方向に折り曲げられたような形状をしてプリント基板に配線された信号伝送線路であって、
前記信号伝送線路の一部として前記所定角度だけ異なる方向に延びるように形成された第１直線部及び第２直線部、に対して同等の角度をなしつつ第１直線部及び第２直線部の一端を連結するような直線状の曲がり部として形成され、その長さが使用波長の１／４の奇数倍である第３直線部、
を有することを特徴とする信号伝送線路。
【請求項２】
直線状で所定幅及び所定厚の信号伝送線路を、所定角度だけ異なる方向に折り曲げたような形状にしてプリント基板に配線するときの、前記信号伝送線路の曲がり部の設計方法であって、
前記信号伝送線路の一部として前記所定角度だけ異なる方向に延びるように形成された第１直線部及び第２直線部、に対して同等の角度をなしつつ第１直線部及び第２直線部の一端を連結するような直線状の曲がり部として第３直線部を形成し、この第３直線部の長さを使用波長の１／４の奇数倍とする、
ことを特徴とする信号伝送線路の曲がり部の設計方法。
【請求項３】
請求項２の設計方法において、
前記信号伝送線路としてマイクロストリップ線路を用い、前記第３直線部の長さを使用波長の１／４とする、
ことを特徴とする信号伝送線路の曲がり部の設計方法。
【発明の詳細な説明】
【技術分野】
【０００１】
本発明は、反射の影響を最小限に抑えるように最適化された曲がり部を有する信号伝送線路及びその設計方法に関する。
【背景技術】
【０００２】
通信機器等には、図１６に示すように、信号伝送線路としてのマイクロストリップ線路１が配線されたプリント基板２が実装されることが多い。近年、パーソナルコンピュータや携帯電話をはじめとする通信機器等の小型化にともない回路が高密度化され、プリント基板２には多数の曲がり部を有するマイクロストリップ線路１が配線されている。このようなマイクロストリップ線路１の曲がり部では、電磁界分布がひずみ、反射、放射等により、他回路との干渉やインピーダンス不整合等が生じる可能性がある。すなわち、近年、小型化が求められる通信機器等において、マイクロストリップ線路における曲がり部は、回路特性に悪影響を与えたり、他回路を誤動作させる原因となりうる。
【０００３】
そこで、従来、下記非特許文献１等において、このようなマイクロストリップ線路１における曲がり部による悪影響を防止するための種々のアイディアが提案されている。これを図１７を用いて説明する。図１７（Ａ）及び図１７（Ｂ）はそれぞれ、従来の曲がり部のバリエーションを例示する平面図である。
【０００４】
図１７（Ａ）で示される従来例において、マイクロストリップ線路１は、直線状で一定幅の線路が９０度異なる方向に折り曲げられた形状をしてプリント基板２上に配線されている。すなわち、このマイクロストリップ線路１は、９０度異なる方向に延びる直線部１ａ′及び直線部１ｂ′と、これらの間に形成された円弧状の曲がり部１ｃ′とから構成されている。
【０００５】
また、図１７（Ｂ）で示される従来例においては、このマイクロストリップ線路１は、９０度異なる方向に延びる直線部１ａ″及び直線部１ｂ″の間に形成された曲がり部１ｃ″は、斜め直線状に形成されている。この曲がり部１ｃ″は、直角度状の曲がり部の頂点付近が、等辺長Ｓの２等辺三角度形状にカットされて形成される。
【非特許文献１】電子通信学会論文誌  Ｃ−Ｉ  Ｖｏｌ．Ｊ８２−Ｃ−Ｉ  Ｎｏ．９                    ｐｐ．５６１−５６９  １９９９年９月
【発明の開示】
【発明が解決しようとする課題】
【０００６】
ところが、上記図１７（Ａ）の従来例のような円弧状の曲がり部１ｃ′は不連続部がないので、曲がりによるロスを防ぐには適当であると考えられているが、円弧状の曲がり部１ｃ′により、この部分の面積が広くなりすぎるという問題がある。すなわち、図１７（Ａ）の従来例は、小型化、高速化及び低コスト化の要望に反することになる。また、図１７（Ｂ）の従来例においては、曲がり部の面積はそれほど広くならずカットによるロスの改善効果はあるもの、使用周波数（使用波長）に対してカットすべき等辺長Ｓの最適化がなされていないとう問題がある。
【０００７】
更に、現実的に、直線部１ａ″と直線部１ｂ″とのなす角度は、９０度のみならず、ここには図示しないが、６０度、１２０度である場合や、或いは、０度（直線部１ａ″と直線部１ｂ″とがヘアピンのような折り返し形状になっている）の場合もありうる。また更に、信号伝送線路はストリップ線路でない場合もありうるし、コプレーナ型のストリップ線路である場合もありうる。従来、このようなバリエーションに対して、曲がり部によるロスを防ぐための最適化が十分になされていなかった。
【０００８】
よって本発明は、上述した現状に鑑み、ロス、すなわち、反射の影響を最小限に抑えるように曲がり部を最適化する。そして、曲がり部の面積が広くなることもなく、他回路との干渉やインピーダンス不整合等を抑制し、曲がり部による回路特性への悪影響を軽減することができる信号伝送線路及びその設計方法を提供することを課題としている。
【課題を解決するための手段】
【０００９】
上記課題を解決するためになされた請求項１記載の信号伝送線路は、直線状で所定幅及び所定厚の線路が所定角度だけ異なる方向に折り曲げられたような形状をしてプリント基板に配線された信号伝送線路であって、前記信号伝送線路の一部として前記所定角度だけ異なる方向に延びるように形成された第１直線部及び第２直線部、に対して同等の角度をなしつつ第１直線部及び第２直線部の一端を連結するような直線状の曲がり部として形成され、その長さが使用波長の１／４の奇数倍である第３直線部、を有することを特徴とする。
【００１０】
また、上記課題を解決するためになされた請求項２記載の信号伝送線路の設計方法は、直線状で所定幅及び所定厚の信号伝送線路を、所定角度だけ異なる方向に折り曲げたような形状にしてプリント基板に配線するときの、前記信号伝送線路の曲がり部の設計方法であって、前記信号伝送線路の一部として前記所定角度だけ異なる方向に延びるように形成された第１直線部及び第２直線部、に対して同等の角度をなしつつ第１直線部及び第２直線部の一端を連結するような直線状の曲がり部として第３直線部を形成し、この第３直線部の長さを使用波長の１／４の奇数倍とする、ことを特徴とする。
【００１１】
また、上記課題を解決するためになされた請求項３記載の信号伝送線路の設計方法は、請求項２の設計方法において、前記信号伝送線路としてマイクロストリップ線路を用い、前記第３直線部の長さを使用波長の１／４とする、ことを特徴とする。
【００１２】
請求項１及び２記載の発明によれば、信号伝送線路の一部として所定角度だけ異なる方向に延びるように形成された第１直線部及び第２直線部、に対して同等の角度をなしつつ第１直線部及び第２直線部の一端を連結するような直線状の曲がり部として形成された第３直線部の長さを使用波長の１／４の奇数倍とすることにより、曲がり部による反射の影響を抑えることができる。
【００１３】
また、請求項３記載の発明によれば、信号伝送線路としてマイクロストリップ線路を用い、第３直線部の長さを使用波長の１／４とすることにより、曲がり部による反射の影響を最小限に抑えることができる。
【発明の効果】
【００１４】
請求項１及び２記載の発明によれば、信号伝送線路の一部として所定角度だけ異なる方向に延びるように形成された第１直線部及び第２直線部、に対して同等の角度をなしつつ第１直線部及び第２直線部の一端を連結するような直線状の曲がり部として形成された第３直線部の長さを使用波長の１／４の奇数倍とすることにより、曲がり部による反射の影響を抑えることができる。したがって、曲がり部の面積が広くなることもなく、他回路との干渉やインピーダンス不整合等を抑制し、曲がり部による回路特性への悪影響を軽減することができる。
【００１５】
請求項３記載の発明によれば、信号伝送線路としてマイクロストリップ線路を用い、第３直線部の長さを使用波長の１／４とすることにより、曲がり部による反射の影響を最小限に抑えることができる。したがって、小型化、高速化が求められ、多数の曲がり部を有するマイクロストリップ線路が実装される、パーソナルコンピュータや携帯電話等の小型通信機器に対して、非常に好適となる。
【発明を実施するための最良の形態】
【００１６】
以下、本発明の実施の形態を図面に基づいて説明する。
【００１７】
[第１実施形態]
第１実施形態は、信号伝送線路としてマイクロストリップ線路を用いた場合の例である。図１は、本発明の第１実施形態に係る線路形状を示す平面図である。図２は、図１の断面形状を示す図である。なお、図２において、グランドパターンは省略している。図１及び図２に示すように、信号伝送線路としてのマイクロストリップ線路１は、直線状で、所定幅及び所定厚のマイクロストリップ線路が９０度異なる方向に折り曲げられた形状をしており、通信機器等に実装されるプリント基板２上に配線されている。すなわち、このマイクロストリップ線路１において、第１直線部１ａと第２直線部１ｂとのなす角度θは９０度であり、これら第１直線部１ａ及び第２直線部１ｂの一端を連結するように第３直線部１ｃが形成されている。なお、図中、第１直線部１ａ及び第２直線部１ｂと、第３直線部１ｃとは、分割された線路片が接着されたように描かれているが、実際には、これらは連続したものである。
【００１８】
また、第３直線部１ｃは、第１直線部１ａ及び第２直線部１ｂのいずれに対しても４５度だけ折り曲げられたように形成されている。この第３直線部１ｃを請求項では曲がり部とよんでいる。第１直線部１ａ、第２直線部１ｂ及び第３直線部１ｃは、上述したように、同等の幅及び厚さ、すなわち、同等の矩形断面を有し、この断面形状は全長にわたって一定であるものとする。
【００１９】
また、第３直線部１ｃの長さｌは、使用波長の１／４、或いは、１／４の奇数倍に設定することが好ましい。この理由について以下に説明する。通常、直線状のマイクロストリップ線路を曲げると、その曲がり部に寄生Ｌ、Ｃ成分が発生し、マイクロストリップ線路のインピーダンスは、特性インピーダンスＺcからずれる。
【００２０】
ここで、マイクロストリップ線路のインピーダンスがＺc−Ｚb−ｊＺbになったとする。
すなわち、負荷インピーダンスをＺLとすると、
ＺL＝Ｚc−Ｚb−ｊＺb…（１）
となる。
このとき、この負荷から距離ｙだけ離れた点でのインピーダンスＺ（ｙ）は、次式で与えられる。
Ｚ（ｙ）＝Ｚc・
[（ＺL＋ｊＺcｔａｎ（２π／λ・ｙ））／（Ｚc＋ｊＺLｔａｎ（２π／λ・ｙ））]
…（２）
ここで、ｙ＝λ／４とすると、
Ｚ（ｙ）＝Ｚc2／ＺL…（３）
となる。
【００２１】
式（３）は、Ｚ（ｙ）がＺLをＺｃを中心にしてスミスチャート上で半回転させたものであることを示す。すなわち、Ｚ（ｙ）は、ＺLと振幅が同じで位相が反転した反射をすることになる。そのため、上記第３直線部１ｃの長さｌをλ／４（ここで、λ＝ｃ／ｆ（使用周波数））の奇数倍とすると、反射を最小に、すなわち、反射の影響を最小にすることができることがわかる。
【００２２】
更に、図３において、上記第３直線部１ｃの長さと反射係数との関係を解析する。図３は、図１及び図２で示すような構成のマイクロストリップ線路における、第３直線部の長さと反射係数との関係を解析したグラフである。この解析において、マイクロストリップ線路の幅Ｗ１は１．８ｍｍ、その厚さＴ１は１８ｕｍである。また、プリント基板の厚さＨ１は０．７７ｍｍ、その比誘電率εｒは３．４５である。
【００２３】
図３において、横軸は、第３直線部の長さを使用波長に対する倍数で表したものである。また、図３において、Ｄ１、Ｄ２、Ｄ３、Ｄ４、Ｄ５及びＤ６はそれぞれ、使用波長が、４０ｍｍ、６０ｍｍ、８０ｍｍ、１２０ｍｍ、１６０ｍｍ及び２００ｍｍである場合の特性を示すものである。
【００２４】
図３において、例えば、Ｄ６で示される特性に着目すると、０．２５、０．７５、１．２５、…の近傍で反射係数は極小或いは最小となっていることがわかる。また、その他のＤ１〜Ｄ５で示される特性に着目しても同様の傾向を有することがわかる。特に、全体として全特性とも、０．２５、すなわち、使用波長の１／４で反射係数は極小かつ最小となっていることがわかる。したがって、上記第３直線部１ｃの長さｌを、λ（使用波長）／４とするのが最も好ましいが、上記第３直線部１ｃの長さｌを、λ（使用波長）／４のみならずλ／４の奇数倍にしても、反射係数を最小に、すなわち、反射の影響を最小にすることができることがわかる。
【００２５】
上述の例では、第１直線部１ａと第２直線部１ｂとがなす角度を９０度とした場合について説明したが、第１直線部１ａと第２直線部１ｂとがなす角度が９０度以外の場合についても、以下に解析する。図４、図５及び図６は、図１の第１直線部１ａと第２直線部１ｂとのなす角度θがそれぞれ、１２０度、６０度及び０度である場合の平面図である。図７、図８及び図９は、図４、図５及び図６で示すような構成のマイクロストリップ線路における、第３直線部の長さと反射係数との関係を解析したグラフである。
【００２６】
これらの解析においても、図１の例と同様、マイクロストリップ線路の幅Ｗ１は１．８ｍｍ、その厚さＴ１は１８ｕｍである。また、プリント基板の厚さＨ１は０．７７ｍｍ、その比誘電率εｒは３．４５である。また、図７、図８及び図９において、横軸は、第３直線部の長さを使用波長に対する倍数で表し、Ｄ１、Ｄ２、Ｄ３、Ｄ４、Ｄ５及びＤ６はそれぞれ、使用波長が、４０ｍｍ、６０ｍｍ、８０ｍｍ、１２０ｍｍ、１６０ｍｍ及び２００ｍｍである場合の特性を示すものである。
【００２７】
図７、図８及び図９で示すグラフも、上記図３で示したグラフと同様の傾向を有することがわかる。すなわち、図７、図８及び図９において、例えば、Ｄ６で示される特性に着目すると、０．２５、０．７５、１．２５、…の近傍で反射係数は極小或いは最小となっていることがわかる。また、その他のＤ１〜Ｄ５で示される特性に着目しても同様の傾向を有することがわかる。特に、全体として全特性とも、０．２５、すなわち、使用波長の１／４で反射係数は極小かつ最小となっていることがわかる。
【００２８】
以上のことから、信号伝送線路としてのマイクロストリップ線路を用いた場合には、第１直線部と第２直線部とがなす角度に依存することなく、第３直線部の長さを、λ（使用波長）／４の奇数倍にすれば、反射係数を最小に、すなわち、反射の影響を最小にすることができることがわかる。特に、第３直線部の長さを、λ（使用波長）／４とするのが最も好ましいことがわかる。
【００２９】
このように第１実施形態によれば、信号伝送線路としてマイクロストリップ線路を用いる場合、異なる方向に延びるように形成された第１直線部及び第２直線部、に対して同等の角度をなす第３直線部の長さを使用波長の１／４の奇数倍とすることにより、曲がり部による反射の影響を抑えることができる。第３直線部は図１７（Ａ）で示したような円弧状でないので、曲がり部の面積が広くなることもなく、他回路との干渉やインピーダンス不整合等を抑制し、曲がり部による回路特性への悪影響を軽減することができる。特に、第３直線部の長さを使用波長の１／４とすることにより、曲がり部による反射の影響を最小限に抑えることができる。したがって、小型化、高速化が求められ、多数の曲がり部を有するマイクロストリップ線路が実装される、パーソナルコンピュータや携帯電話等の小型通信機器に対して、非常に好適となる。
【００３０】
[第２実施形態]
第２実施形態は、信号伝送線路としてマイクロストリップ線路以外の線路としてストリップ線路を用いた場合の例である。図１０は、第２実施形態に係る信号伝送線路の断面形状を示す図である。なお、図１０において、グランドパターンは省略している。図１０に対応する平面形状は図示しないが、この平面形状は上記図１等に示した平面形状に準ずるものとなる。すなわち、第２実施形態では、図１０に示すような断面形状の信号伝送線路１１が、例えば、図１に示すような平面形状をして基板２内に形成されているものとする。
【００３１】
図１１、図１２及び図１３は、図１０の構成の信号伝送線路の第１直線部と第２直線部とのなす角度θがそれぞれ、９０度（平面形状は図１に準ずる）、６０度（平面形状は図５に準ずる）及び０度（平面形状は図６に準ずる）である場合の、第３直線部の長さと反射係数との関係を解析したグラフである。
【００３２】
これらの解析において、信号伝送線路１１の幅Ｗ２は０．５９ｍｍ、その厚さＴ２は５ｕｍである。また、プリント基板の厚さＨ２は１ｍｍ、その比誘電率εｒは３．４５である。また、図７、図８及び図９において、横軸は、第３直線部の長さを使用波長に対する倍数で表し、Ｄ１、Ｄ２、Ｄ３、Ｄ４、Ｄ５及びＤ６はそれぞれ、使用波長が、４０ｍｍ、６０ｍｍ、８０ｍｍ、１２０ｍｍ、１６０ｍｍ及び２００ｍｍである場合の特性を示すものである。
【００３３】
図１１、図１２及び図１３で示す特性も、上記第１実施形態と同様の傾向を有することがわかる。すなわち、図１１、図１２及び図１３において、例えば、Ｄ６で示される特性に着目すると、０．２５、０．７５、１．２５、…の近傍で反射係数は極小或いは最小となっていることがわかる。また、その他のＤ１〜Ｄ５で示される特性に着目しても同様の傾向を有することがわかる。特に、全体として全特性とも、０．２５、すなわち、使用波長の１／４で反射係数は極小かつ最小となっていることがわかる。
【００３４】
以上のことから、信号伝送線路としてマイクロストリップ線路以外の線路としてストリップ線路を用いた場合にも、第１直線部と第２直線部とがなす角度に依存することなく、第３直線部の長さを、λ（使用波長）／４の奇数倍にすれば、反射係数を最小に、すなわち、反射の影響を最小にすることができることがわかる。特に、第３直線部の長さを、λ（使用波長）／４とするのが最も好ましいことがわかる。
【００３５】
このように第２実施形態によれば、信号伝送線路としてマイクロストリップ線路以外の線路としてストリップ線路を用いた場合にも、異なる方向に延びるように形成された第１直線部及び第２直線部、に対して同等の角度をなす第３直線部の長さを使用波長の１／４の奇数倍とすることにより、曲がり部による反射の影響を抑えることができる。特に、第３直線部の長さを使用波長の１／４とすることにより、曲がり部による反射の影響を最小限に抑えることができる。
【００３６】
[第３実施形態]
第３実施形態は、信号伝送線路としてコプレーナストリップ線路を用いた場合の例である。図１４は、コプレーナストリップ線路の断面形状を示す図である。図１４に対応する平面形状は図示しないが、この平面形状は上記第１実施形態で示した平面形状に準ずるものとなる。すなわち、第３実施形態では、図１４に示すような断面形状のコプレーナストリップ線路１２が、例えば、図６に示すような平面形状をして基板２上に形成されている。図１５は、図１４の構成のコプレーナストリップ線路の第１直線部と第２直線部とのなす角度θが０度である場合の、第３直線部の長さと反射係数との関係を解析したグラフである。
【００３７】
この解析において、コプレーナストリップ線路１２の幅Ｗ３を２．２ｍｍ、その厚さＴ３は１８ｕｍであり、両線路１２間の隙間ステップＳ３は０．１ｍｍである。また、プリント基板の厚さＨ３は０．４ｍｍ、その比誘電率εｒは３．４５である。また、図１５において、横軸は、第３直線部の長さを使用波長に対する倍数で表し、Ｄ１、Ｄ２、Ｄ３、Ｄ４、Ｄ５及びＤ６はそれぞれ、使用波長が、４０ｍｍ、６０ｍｍ、８０ｍｍ、１２０ｍｍ、１６０ｍｍ及び２００ｍｍである場合の特性を示すものである。
【００３８】
図１５において、Ｄ１〜Ｄ６で示される特性に着目すると、第１及び第２実施形態ほど顕著ではないが、０．２５、０．７５、１．２５、…の近傍で反射係数は極小或いは最小となっていることがわかる。逆に、０．２５、０．７５、１．２５、…の中間部の近傍で反射係数は極大或いは最大となっていることがわかる。図示しないが、第１直線部と第２直線部とのなす角度θを０度以外にしても、同様の傾向がみられることが知られている。したがって、第３直線部の長さを、λ（使用波長）／４の奇数倍にすれば、少なくとも、反射係数が極大或いは最大となることはなく、反射係数を極小或いは最小にすることも可能になる。
【００３９】
このように第３実施形態によれば、信号伝送線路としてコプレーナストリップ線路を用いた場合にも、異なる方向に延びるように形成された第１直線部及び第２直線部、に対して同等の角度をなす第３直線部の長さを使用波長の１／４の奇数倍とすることにより、曲がり部による反射の影響を抑えることが可能になる。
【００４０】
以上のように、本発明の実施形態によると、曲がり部としての第３直線部の長さを使用波長の１／４の奇数倍とすることにより、この曲がり部による反射の影響を抑えることができる。したがって、曲がり部の面積が広くなることもなく、他回路との干渉やインピーダンス不整合等を抑制し、曲がり部による回路特性への悪影響を軽減することができる。
【００４１】
なお、本発明は、例示した使用波長、すなわち、使用周波数に限定されることなく、他の使用波長にも同様に適用可能である。また、本発明は、パーソナルコンピュータや携帯電話をはじめとする通信機器以外にも適用可能である。
【図面の簡単な説明】
【００４２】
【図１】本発明の第１実施形態に係る線路形状を示す平面図である。
【図２】図１の断面形状を示す図である。
【図３】図１及び図２で示すような構成のマイクロストリップ線路における、第３直線部の長さと反射係数との関係を解析したグラフである。
【図４】図１の第１直線部と第２直線部とのなす角度が１２０度である場合の平面図である。
【図５】図１の第１直線部と第２直線部とのなす角度が６０度である場合の平面図である。
【図６】図１の第１直線部と第２直線部とのなす角度が０度である場合の平面図である。
【図７】図４で示すような構成のマイクロストリップ線路における、第３直線部の長さと反射係数との関係を解析したグラフである。
【図８】図５で示すような構成のマイクロストリップ線路における、第３直線部の長さと反射係数との関係を解析したグラフである。
【図９】図６で示すような構成のマイクロストリップ線路における、第３直線部の長さと反射係数との関係を解析したグラフである。
【図１０】本発明の第２実施形態に係る信号伝送線路の断面形状を示す図である。
【図１１】図１０の構成の信号伝送線路の第１直線部と第２直線部とのなす角度が９０度である場合の、第３直線部の長さと反射係数との関係を解析したグラフである。
【図１２】図１０の構成の信号伝送線路の第１直線部と第２直線部とのなす角度が６０度である場合の、第３直線部の長さと反射係数との関係を解析したグラフである。
【図１３】図１０の構成の信号伝送線路の第１直線部と第２直線部とのなす角度が０度である場合の、第３直線部の長さと反射係数との関係を解析したグラフである。
【図１４】本発明の第３実施形態に係る、コプレーナストリップ線路の断面形状を示す図である。
【図１５】図１４の構成のコプレーナストリップ線路の第１直線部と第２直線部とのなす角度が０度である場合の、第３直線部の長さと反射係数との関係を解析したグラフである。
【図１６】本発明で前提となるマイクロストリップ線路を例示する斜視図である。
【図１７】図１７（Ａ）及び図１７（Ｂ）はそれぞれ、従来の曲がり部のバリエーションを例示する平面図である。
【符号の説明】
【００４３】
１  マイクロストリップ線路（信号伝送線路）
１ａ  第１直線部
１ｂ  第２直線部
１ｃ  第３直線部
２  プリント基板
【図１】
2004363535.tif 000003
【図２】
2004363535.tif 000004
【図３】
2004363535.tif 000005
【図４】
2004363535.tif 000006
【図５】
2004363535.tif 000007
【図６】
2004363535.tif 000008
【図７】
2004363535.tif 000009
【図８】
2004363535.tif 000010
【図９】
2004363535.tif 000011
【図１０】
2004363535.tif 000012
【図１１】
2004363535.tif 000013
【図１２】
2004363535.tif 000014
【図１３】
2004363535.tif 000015
【図１４】
2004363535.tif 000016
【図１５】
2004363535.tif 000017
【図１６】
2004363535.tif 000018
【図１７】
2004363535.tif 000019